(57)【特許請求の範囲】
【請求項１】
容器の注出開口を閉塞する障壁板を、下向きに開放された環状溝を有する内筒、外筒にて形成された内外二重の筒体に一体連結して、該環状溝を打栓によって容器の口頚部先端に嵌合させて固定保持するベースキャップと、このベースキャップを、該障壁板を除いて取り囲み該筒体の該口頚部先端に対する嵌合力を増強する環状帯と、を備えた密閉栓であって、
前記ベースキャップの下端部と前記環状帯の下端部との相互間に該環状帯の引き起こしにより破断可能にそれらベースキャップと環状帯とをつなぐ複数の連結片と、該環状帯の引き起こしにより破断不能にそれらベースキャップと環状帯とをつなぐ連結部と、を設け、
前記障壁板に、上端部が該障壁板の外縁部に一体連結するとともに前記ベースキャップの前記内筒の内側に間隔を隔てて配置される環状周壁と、この環状周壁の下端部と前記ベースキャップの前記内筒の下端部とを一体連結する連結部と、を設けたことを特徴とする密閉栓。
【請求項２】
前記障壁板は、前記ベースキャップの前記内筒の上端部に一体連結する外縁部を有することを特徴とする請求項１記載の密閉栓。
【請求項３】
前記障壁板は、前記ベースキャップの前記内筒の下端部に一体連結する外縁部を有することを特徴とする請求項１記載の密閉栓。
【請求項４】
前記環状帯にヒンジを介して揺動可能に保持され、前記ベースキャップの上端面を該環状帯の上端面とともに覆い隠す蓋体を設け、
前記蓋体は、前記ベースキャップの前記内筒と前記環状周壁との隙間に嵌挿される環状突部を有することを特徴とする請求項１〜３のいずれか１に記載の密閉栓。
【請求項５】
前記内外二重の筒体のうちの外筒に、上下に沿って伸延し、前記環状帯の引き起こしに伴って該外筒を周方向に分断する第一の弱化部と、この第一の弱化部につながり、該外筒をその一部を除いて前記内筒から切り離す第二の弱化部を形成したことを特徴とする請求項１〜４のいずれか１に記載の密閉栓。
【請求項６】
前記第一の弱化部および第二の弱化部は、薄肉部にて形成されたものである、請求項５に記載の密閉栓。
【請求項７】
前記第二の弱化部の始端と終端との間に延び、前記外筒と前記内筒とを局所的につなげておくブリッジを設けたことを特徴とする請求項５又は６に記載の密閉栓。
【発明の詳細な説明】
【技術分野】
【０００１】
本発明は、容器の注出開口を閉塞する障壁板を、下向きに開放された環状溝を有する内筒、外筒にて形成された内外二重の筒体に一体連結して、該環状溝を打栓によって容器の口頚部に嵌合させて固定保持するベースキャップと、このベースキャップに一体連結する環状帯と、を備えた密閉栓に関するものである。
【背景技術】
【０００２】
上述の如き密閉栓は、飲みきりタイプの飲用ボトルやレフィル容器等に多用されており、従来、例えば、特許文献１にて開示されたものが知られている。
【０００３】
この密閉栓は、障壁板の下面に筒体を一体に突設してベースキャップを構成し、環状帯の端部をその障壁板の外周部に一体連結するとともに環状体の中間部をその障壁板の外周部に破断可能に連結し、筒体外周面を容器の口頚部内周面に嵌合させて固定保持するとともに、環状体の中間部を障壁板の外周部から引き起こして引っ張ることでベースキャップの筒体を容易に容器の口頚部から引き抜いて容器を開封できるようになっており、しかもその環状体の引き起しの有無により容器の正規の開封前に不正な開封が行われたか否かを目視で判断できるようになっている。
【先行技術文献】
【特許文献】
【０００４】
【特許文献１】特許第４１５２７１７号公報
【発明の概要】
【発明が解決しようとする課題】
【０００５】
しかしながら上記従来の密閉栓では、筒体外周面を容器の口頚部内周面に嵌合させているだけなので、容器への固定保持力をさほど高くすることができず、このため容器の密封力を十分高めることができないという問題がある。
【０００６】
また、従来の密閉栓においては、環状帯の中間部を障壁板の外周部から引き起して引っ張らなくてもベースキャップの筒体が容器の口頚部から引き抜ける可能性があり、このため環状体の引き起しの有無により容器の正規の開封前に不正な開封が行われたか否かを確実に判断できるとは言えないという問題があった。
【０００７】
それゆえ本発明の課題は、容器の口頚部先端に対する嵌合力が高く、容器の確実な密封が行える一方、開封時には容易に開封を行うことができ、しかも容器の正規の開封前に不正な開封が行われたか否かを目視で確実に判断できる密閉栓を提案することにある。
【課題を解決するための手段】
【０００８】
上記課題を解決する本発明の密閉栓は、容器の注出開口を閉塞する障壁板を、下向きに開放された環状溝を有する内筒、外筒にて形成された内外二重の筒体に一体連結して、該環状溝を打栓によって容器の口頚部先端に嵌合させて固定保持するベースキャップと、このベースキャップを、該障壁板を除いて取り囲み該筒体の該口頚部先端に対する嵌合力を増強する環状帯と、を備えた密閉栓において、前記ベースキャップの下端部と前記環状帯の下端部との相互間に、該環状帯の引き起こしにより破断可能にそれらベースキャップと環状帯とをつなぐ複数の連結片と、該環状帯の引き起こしにより破断不能にそれらベースキャップと環状帯とをつなぐ連結部と、を設けたことを特徴としている。
【０００９】
上記の構成からなる密閉栓においては、
１）前記障壁板を、前記ベースキャップの前記内筒の上端部に一体連結する外縁部を有するものとすること、
２）前記障壁板を、前記ベースキャップの前記内筒の下端部に一体連結する外縁部を有するものとすること、
３）前記障壁板に、上端部が該障壁板の外縁部に一体連結するとともに前記ベースキャップの前記内筒の内側に間隔を隔てて配置される環状周壁と、この環状周壁の下端部と前記ベースキャップの前記内筒の下端部とを一体連結する連結部と、を設けること、
４）前記環状帯にヒンジを介して揺動可能に保持され、前記ベースキャップの上端面を該環状帯の上端面とともに覆い隠す蓋体を設け、前記蓋体を、前記ベースキャップの前記内筒と前記環状周壁との隙間に嵌挿される環状突部を有するものとすること、さらに、
５）前記内外二重の筒体のうちの外筒に、上下に沿って伸延し、前記環状帯の引き起こしに伴って該外筒を周方向に分断する第一の弱化部と、この第一の弱化部につながり、該外筒をその一部を除いて前記内筒から切り離す第二の弱化部を形成すること、
６）前記第一の弱化部および第二の弱化部は、薄肉部にて形成されたものとすること、
が、課題解決のための手段として好ましい。
【発明の効果】
【００１０】
上記構成からなる本発明の密閉栓によれば、容器の注出開口を閉塞する障壁板と一体連結したベースキャップの二重の筒体の間の下向きに開放された環状溝を打栓によって容器の口頚部先端に嵌合させて固定保持し、しかもベースキャップに一体連結するとともにこのベースキャップの周りを取り囲んで容器の口頚部に対する嵌合力を補強する環状帯を設けているので、容器への固定保持力を十分に高くすることができ、このため容器の密封力を十分高めることができる。
【００１１】
本発明の密閉栓によれば、複数の連結片を破断させて環状帯を引き起こし、その環状帯を引っ張ることで、連結部を介してベースキャップの一端部を引き上げ、容器の口頚部先端とベースキャップとの嵌合を上記一端部側から解除して容器を開封することができ、その際、ベースキャップと環状帯とをつなぐ複数の連結片が既に破断して容器の口頚部に対する嵌合力が低下しているので、容器の口頚部先端とベースキャップとの嵌合を容易に解除して容器を開封することができる。
【００１２】
しかも本発明の密閉栓によれば、ベースキャップの下端部とそのベースキャップの周りを取り囲む環状帯の下端部との相互間に、該環状帯の引き起こしにより破断可能にそれらベースキャップと環状帯とをつなぐ複数の連結片を設け、それらの連結片を介して環状帯が容器の口頚部に対する嵌合力を補強するようにしているので、環状帯がベースキャップの周りを取り囲んで容器の口頚部に対する嵌合力を補強している点と相俟って、連結片を破断させて環状帯を引き起こさなければ実質上容器の口頚部先端とベースキャップとの嵌合を解除して容器を開封することはできず、それゆえ、環状体の引き起しの有無により容器の正規の開封前に不正な開封が行われたか否かを目視で確実に判断することができる。
【００１３】
なお、本発明の密閉栓においては、前記障壁板は、前記ベースキャップの前記内筒の上端部に一体連結する外縁部を有していると好ましい。このようにすれば、内筒の下端部が変形容易な自由端部になることから、開封時に内筒を容器の口頚部内から容易に抜き出すことができる。
【００１４】
また、本発明の密閉栓においては、前記障壁板は、前記ベースキャップの前記内筒の下端部に一体連結する外縁部を有していると好ましい。このようにすれば、内筒の下端部が障壁板で内側から支持されることから、容器の内容物が高温充填の場合の熱履歴による内筒の内倒れを防止して、液漏れに対する耐性を高めることができる。
【００１５】
また、本発明の密閉栓においては、前記障壁板に、上端部が該障壁板の外縁部に一体連結するとともに前記ベースキャップの前記内筒の内側に間隔を隔てて配置される環状周壁と、この環状周壁の下端部と前記ベースキャップの前記内筒の下端部とを一体連結する連結部と、を設けていると好ましい。このようにすれば、環状周壁の下端部が障壁板で内側から支持されることから、容器の内容物が高温充填の場合の熱履歴による内筒の内倒れを防止して、液漏れに対する耐性を高めることができ、しかも環状周壁の上端部が該障壁板の外縁部に一体連結するので、内筒の下端部と環状周壁の下端部とが一体的に変形可能になることから、開封時に内筒を容器の口頚部内から容易に抜き出すことができる。
【００１６】
そして、本発明の密閉栓においては、前記環状帯にヒンジを介して揺動可能に保持され、前記ベースキャップの上端面を該環状帯の上端面とともに覆い隠す蓋体を設け、前記蓋体は、前記ベースキャップの前記内筒と前記環状周壁との隙間に嵌挿される環状突部を有していると好ましい。このようにすれば、容器の密封中は、蓋体がベースキャップの上端面を環状帯の上端面とともに覆い隠して、環状帯とベースキャップの外側の筒体との隙間およびベースキャップの内筒と環状周壁との隙間にゴミ等の異物が挟まるのを防止することができ、また容器の開封時には、蓋体をヒンジにより環状帯に対して揺動させて引き上げ、その蓋体を手がかりにして複数の連結片を破断させながら環状帯を引き起こすことができるので、より容易に容器の口頚部先端とベースキャップとの嵌合を解除して容器を開封することができる。
【００１７】
また、本発明の密閉栓によれば、連結片を破断したのちにおいても、環状帯を元の姿勢に戻すことにより、リキャップした場合において、外観上、抜栓前の状態に保つことが可能であって、容器の外観形状やデザイン性等が損なわれることがない。
【００１８】
さらに、本発明の密閉栓によれば、内外二重の筒体のうちの外筒については、上下に沿って伸延し、環状帯の引き起こしに伴って該外筒を周方向に分断する第一の弱化部と、この第一の弱化部につながり、該外筒をその一部を除いて内筒から切り離す第二の弱化部を形成したため、環状帯の引き起こしにより容器が開封されたとき、外筒が第一の弱化部、第二の弱化部を境にして容器の口頚部先端から切り離され、外筒の外観形状が初期形状とは大きく変わるため、容器が開封状態にあることが一目で判別できる。
【００１９】
なお、本発明の密閉栓によれば、第一の弱化部、第二の弱化部を、薄肉部にて形成したため、余計な部材を付加することになしに外筒と内筒との分離が可能となり、構造の簡素化を図ることができる。
【図面の簡単な説明】
【００２０】
【図１】（ａ）、（ｂ）は、本発明の密閉栓の第１実施例を容器の上部とともに示す断面図および平面図である。
【図２】図１に示す密閉栓を、その環状帯を引き起こした状態で示す断面図である。
【図３】（ａ）、（ｂ）は、本発明の密閉栓の第２実施例を容器の上部とともに示す断面図および平面図である。
【図４】（ａ）、（ｂ）は、本発明の密閉栓の第３実施例を容器の上部とともに示す断面図および平面図である。
【図５】（ａ）、（ｂ）は、本発明の密閉栓の第４実施例を容器の上部とともに示す断面図および平面図である。
【図６】図５に示す密閉栓を、その蓋体を引き上げてその環状帯を引き起こした状態で示す断面図である。
【図７】（ａ）、（ｂ）は、本発明の密閉栓の第５実施例を容器の上部とともに示す断面図および平面図である。
【図８】図７に示す密閉栓の外観斜視図である。
【図９】図７に示した密閉栓の抜栓状況を示した図である。
【図１０】図７に示した密閉栓の抜栓状況を示した図である。
【発明を実施するための形態】
【００２１】
以下、本発明の実施の形態を図面を用いた実施例により詳細に説明する。ここに、図１（ａ）、（ｂ）は、本発明の密閉栓の第１実施例（合成樹脂等で成形される）を容器の上部とともに模式的に示す断面図および平面図、また図２は、図１に示す実施例の密閉栓を、その環状帯を引き起こした状態で示す断面図であり、図中符号１は、この実施例の密閉栓の主要構成部材であるベースキャップを示す。このベースキャップ１は、容器の口頚部先端２の注出開口２ａを閉塞する障壁板１ａを、上端部同士が一体的につながる内筒１ｂおよび外筒１ｃの二重の筒体と一体連結し、それら二重の筒体の内筒１ｂ、外筒１ｃの間の下向きに開放された環状溝１ｄを打栓によって容器の口頚部先端２に嵌合させて口頚部先端２に固定保持するように構成されている。
【００２２】
具体的には、この第１実施例では、外筒１ｃの内周突条１ｅと容器の口頚部先端２の外周突条２ｂとをアンダーカット結合させるとともに、その口頚部先端２を内筒１ｂと外筒１ｃとの間に挟持して、ベースキャップ１を容器の口頚部先端２に固定保持する。また障壁板１ａは、ベースキャップ２の内筒１ｂの上端部に一体連結する外縁部を有している。
【００２３】
また、この第１実施例の密閉栓は、ベースキャップ１の外筒１ｃの周りを取り囲む環状帯３を備え、この環状帯３と外筒１ｃとの相互間には、図１（ｂ）に示すように、それらの下端部で周方向に間隔をおいて該環状帯３と外筒１ｃとを相互につなぐとともに該環状帯３の引き起こしにより破断可能な複数の連結片４と、該環状帯３と外筒１ｃとを１箇所において破断不能に連結する連結部５が設けられており、これら連結片４と連結部５とを介して環状帯３は、ベースキャップ１の外筒１ｃを外側から支持して外筒１ｃの拡径を規制し、容器の口頚部先端２に対する外筒１ｃの嵌合力を増強する。また環状帯３はその中心軸線に対し連結部５と反対の側の外周面に、半径方向外方へ突出する指掛け部３ａを有している。
【００２４】
上記構成からなるこの第１実施例の密閉栓によれば、容器の注出開口２ａを閉塞する障壁板１ａと一体連結したベースキャップ１の二重の筒体の内筒１ｂ、外筒１ｃの間の下向きに開放された環状溝１ｄを打栓によって容器の口頚部先端２に嵌合させて固定保持し、しかもベースキャップ１に一体連結するとともにこのベースキャップ１の周りを取り囲んで容器の口頚部先端２に対する嵌合力を補強する（容器の口頚部先端２にベースキャップ１を打栓した際、外筒１ｃを拡径するのを抑える）環状帯３を設けているので、容器への固定保持力を十分に高くすることができ、このため容器の密封力を十分高めることができる。
【００２５】
また、この第１実施例の密閉栓によれば、図２中に矢印で示すように、環状体３の複数の連結片４を破断させて環状帯３を引き起こし、その環状帯３を引っ張ることで、連結部５を介してベースキャップ１の一端部（図では右端部）を引き上げ、容器の口頚部先端２とベースキャップ１とのアンダーカット結合を上記一端部側から解除して、ベースキャップ１を口頚部先端２から外し、容器を開封することができ、その際、ベースキャップ１と環状帯３とをつなぐ複数の連結片４が既に破断して容器の口頚部先端２に対する外筒１ｃの嵌合力が低下しているので、容器の口頚部先端２とベースキャップ１との嵌合を容易に解除して容器を開封することができる。
【００２６】
しかもこの第１実施例の密閉栓によれば、ベースキャップ１の下端部とそのベースキャップ１の周りを取り囲む環状帯３の下端部との相互間に、該環状帯３の引き起こしにより破断可能にそれらベースキャップ１と環状帯３とをつなぐ複数の連結片４を設け、それらの連結片４を介して環状帯３が容器の口頚部先端２に対する嵌合力を補強するようにしているので、連結片４を破断させて環状帯３を引き起こさなければ実質上容器の口頚部先端２とベースキャップ１との嵌合を解除して容器を開封することはできず、それゆえ、環状体３の引き起しの有無により容器の正規の開封前に不正な開封が行われたか否かを目視で確実に判断することができる。また、指掛け部３ａの対応箇所に連結片４を設けなければ、開封時にベースキャップ１を持ち上げ易くなり、操作性を向上させることができる。
【００２７】
さらにこの第１実施例の密閉栓によれば、障壁板１ａは、ベースキャップ１の内筒１ｂの上端部に一体連結する外縁部を有しているので、内筒１ｂの下端部が変形容易な自由端部になることから、開封時に内筒１ｂを容器の口頚部内から容易に抜き出すことができる。
【００２８】
図３（ａ）、（ｂ）は、本発明の密閉栓の第２実施例を容器の上部とともに示す断面図および平面図であり、図中、先の実施例と同様の部分はそれと同一の符号にて示す。すなわち、この第２実施例は、障壁板１ａがベースキャップ１の内筒１ｂの下端部に一体連結する外縁部を有している点のみ、先の第１実施例と相違しており、他の点では先の第１実施例と同一の構成を具えている。
【００２９】
かかる第２実施例の密閉栓によれば、内筒１ｂの下端部が変形容易な自由端部にならないこと以外は、先の第１実施例と同様の作用効果を奏することができ、それに加えて、内筒１ｂの下端部が障壁板１ａで内側から支持されることから、例えば、容器の内容物が６５℃以上の高温充填の場合でも熱履歴による内筒１ｂの内倒れを防止して、液漏れに対する耐性を高めることができる。
【００３０】
図４（ａ）、（ｂ）は、本発明の密閉栓の第３実施例を容器の上部とともに示す断面図および平面図であり、図中、先の実施例と同様の部分はそれと同一の符号にて示す。すなわち、この第３実施例は、障壁板１ａに、上端部が該障壁板１ａの外縁部に一体連結するとともにベースキャップ１の内筒１ｂの内側に間隔を隔てて配置される環状周壁１ｆと、この環状周壁１ｆの下端部とベースキャップ１の内筒１ｂの下端部とを一体連結する連結部１ｇとを設けている点のみ、先の第１実施例と相違しており、他の点では先の第１実施例と同一の構成を具えている。
【００３１】
かかる第３実施例の密閉栓によれば、内筒１ｂの下端部が変形容易な自由端部にならないこと以外は、先の第１実施例と同様の作用効果を奏することができ、それに加えて、環状周壁１ｆの下端部が障壁板１ａで内側から支持されることから、例えば、容器の内容物が６５℃以上となる高温充填の場合でも熱履歴による内筒１ｂの内倒れを防止して、液漏れに対する耐性を高めることができ、しかも環状周壁１ｆの上端部が障壁板１ａの外縁部に一体連結するので、内筒１ｂの下端部と環状周壁１ｆの下端部とが一体的に変形可能になることから、開封時に内筒１ｂを容器の口頚部内から容易に抜き出すことができる。
【００３２】
図５（ａ）、（ｂ）は、本発明の密閉栓の第４実施例を容器の上部とともに示す断面図および平面図、また図６は、図５に示す密閉栓を、その蓋体を引き上げてその環状帯を引き起こした状態で示す断面図であり、図中、先の実施例と同様の部分はそれと同一の符号にて示す。すなわち、この第４実施例は、先の第３実施例の構成において、環状帯３の、その中心軸線に対し連結部５と反対の側の外周面に、半径方向外方へ突出する指掛け部３ａの代わりにヒンジ６を有し、さらに環状帯３にそのヒンジ６を介して揺動可能に蓋体７を保持し、この蓋体７で、ベースキャップ１の上端面を環状帯３の上端面とともに覆い隠すようにしており、この蓋体７は、ベースキャップ１の内筒１ｂと環状周壁１ｆとの隙間に嵌挿されて内筒１ｂに係合する環状突部７ａを有している。
【００３３】
かかる第４実施例の密閉栓によれば、先の第３実施例と同様の作用効果を奏することができ、それに加えて、容器の密封中は、蓋体７がベースキャップ１の上端面を環状帯３の上端面とともに覆い隠して、環状帯３とベースキャップ１の外筒１ｃとの隙間およびベースキャップ１の内筒１ｂと環状周壁１ｆとの隙間にゴミ等の異物が挟まるのを防止することができ、また容器の開封時には、図６中に矢印で示すように、蓋体７をヒンジ６により環状帯３に対して揺動させて引き上げ、その蓋体７を手がかりにして複数の連結片４を破断させながら環状帯３を引き起こすことができるので、より容易に容器の口頚部先端２とベースキャップ１との嵌合を解除して容器を開封することができる。
【００３４】
以上、図示例に基づき説明したが、この発明は上記実施例に限定されるものでなく、特許請求の範囲の記載範囲内で適宜変更することができ、例えば、第１〜第３実施例において、半径方向外方へ突出する指掛け部３ａをなくして、環状帯３の意図しない引き起こしを発生しにくくしてもよく、また第４実施例において、ヒンジ６および蓋体７を設ける代わりにベースキャップ１の上端面を環状帯３の上端面とともに覆い隠すフィルム（タックシール等）を貼着しても良い。
【００３５】
なお、上記第１〜第４実施例において示した本発明の密閉栓は、容器を開封すべく、環状帯３を引き起こして連結片を破断して抜栓したのちにおいても該環状帯３を元の姿勢に戻すことが可能であり、リキャップした場合において外観上は抜栓前の状態に保たれ、容器の外観形状、デザイン性等が損なわれることがない利点がある。
【００３６】
次に、本発明の密閉栓の第５実施例として、抜栓されたかどうか明確に判別できる機能をさらに付加した密閉栓の構成例について説明する。
【００３７】
図７（ａ）、（ｂ）は、抜栓されたのちにおいて外筒１ｃの形状が変化して環状帯３を元に戻すことが不可能であり、抜栓されたかどうか容易に判別できる密閉栓の具体的構成を示す断面図および平面図であり、図８は、図７に示す密閉栓の外観斜視図を示す図である。なお、図中、先の実施例と同様の部分はそれと同一の符号にて示す。
【００３８】
この第５実施例は、外筒１ｃに、上下に沿って伸延し、環状帯３の引き起こしに伴って該外筒１ｃを周方向に分断する第一の弱化部８と、この第一の弱化部８につながり、該外筒１ｃをその一部を除いて内筒１ｂから切り離す第二の弱化部９を形成したものである。
【００３９】
上記の構成からなる密閉栓によれば、図９、図１０に抜栓状況を示すように、外筒１ｃは、第一の弱化部８を境にして周方向に分断され（図９参照）、それに引き続いて第二の弱化部９を境にして内筒１ｂから切り離される（図１０参照）。これにより外筒１ｃは、容器の口頚部先端２から離反して抜栓後の形状が変わり、環状帯３は元の状態に戻すことができず容器が開封されたかどうか容易に判別することができる。
【００４０】
第一の弱化部８、第二の弱化部９は、薄肉部を設けることによって形成することができるが、スリット状の切込みを設けることによって形成してもよく、この点については限定されない。
【００４１】
この構造の密閉栓においては、環状帯３の引き起こしと、これに伴う外筒１ｃの第一の弱化部９による周方向の分断をスムーズに行わしめるため、第一の弱化部８は、連結部５の隣接部位に設けるのがよい（外筒１ｃと連結部５はつながったままの状態を維持する）。また、外筒１ｃと、内筒１ｂとは第二の弱化部９により完全に切り離されてもよいが、この場合においては、抜栓時に内筒１ｂとそれにつながる障壁板１ａが容器の口頚部先端２に残存することになり、内容物を注出するに当たっては該内筒１ｂを障壁板１ａとともに取り外す別の作業が必要となる。このため、第二の弱化部９の切り離し末端部には、外筒１ｃと内筒１ｂを局所的につなげておくブリッジ１０を設けておくのがよい（図７参照）。すなわち、第二の弱化部９の終端は、その始端にまでは届かない切り残し代を設けておく。ブリッジ１０が存在することにより、内筒１ｂは、外筒１ｃ、連結部５を介して環状帯３につながった状態に維持され、該環状帯３を引き上げるだけで内筒１ｂを障壁板１ａとともに容器の口頚部先端２から容易に取り外すことができることになる。
【産業上の利用可能性】
【００４２】
かくして本発明の密閉栓によれば、容器の注出開口を閉塞する障壁板と一体連結したベースキャップの二重の筒体の間の下向きに開放された環状溝を打栓によって容器の口頚部先端に嵌合させて固定保持し、しかもベースキャップに一体連結するとともにこのベースキャップの周りを取り囲んで容器の口頚部に対する嵌合力を増強する環状帯を設けているので、容器への固定保持力を十分に高くすることができ、このため容器の密封力を十分高めることができる。なお、第１実施例〜第５実施例では、ベースキャップ１を容器の口頚部先端２に打栓した際、外筒１ｃが環状帯３に密着していない構造（上面視で外筒１ｃと環状帯３の間に隙間が形成）としているが、外筒１ｃが拡径して環状帯３に密着するようにしてもよい。この場合には、タガ締め効果により密封性が向上して口頚部への嵌合力がさらに強固となる。
【００４３】
本発明の密閉栓によれば、複数の連結片を破断させて環状帯を引き起こし、その環状帯を引っ張ることで、連結部を介してベースキャップの一端部を引き上げ、容器の口頚部先端とベースキャップとの嵌合を上記一端部側から解除して容器を開封することができ、その際、ベースキャップと環状帯とをつなぐ複数の連結片が既に破断して容器の口頚部に対する嵌合力が低下しているので、容器の口頚部先端とベースキャップとの嵌合を容易に解除して容器を開封することができる。この場合、環状帯を元の姿勢に戻すことが可能であり、リキャップした場合において外観上は抜栓前の状態に保たれる。
【００４４】
しかも本発明の密閉栓によれば、ベースキャップの下端部とそのベースキャップの周りを取り囲む環状帯の下端部との相互間に、該環状帯の引き起こしにより破断可能にそれらベースキャップと環状帯とをつなぐ複数の連結片を設け、それらの連結片を介して環状帯が容器の口頚部に対する嵌合力を増強するようにしているので、環状帯がベースキャップの周りを取り囲んで容器の口頚部に対する嵌合力を増強している点と相俟って、連結片を破断させて環状帯を引き起こさなければ実質上容器の口頚部先端とベースキャップとの嵌合を解除して容器を開封することはできず、それゆえ、環状体の引き起しの有無により容器の正規の開封前に不正な開封が行われたか否かを目視で確実に判断することができる。
【００４５】
さらに、本発明の密閉栓によれば、ベースキャップを構成する外筒に、上下に沿って伸延し、環状帯の引き起こしに伴って該外筒を周方向に分断する第一の弱化部を設けるとともに、この第一の弱化部につながり、該外筒をその一部を除いて前記内筒から切り離す第二の弱化部を設けているため、抜栓時に外筒が内筒から切り離され、その形状が抜栓前の初期形状とは大きく変わることから、抜栓されたかどうかを容易に判別することができる。
【符号の説明】
【００４６】
１    ベースキャップ
１ａ  障壁板
１ｂ  内筒
１ｃ  外筒
１ｄ  環状溝
１ｅ  内周突条
１ｆ  環状周壁
１ｇ  連結部
２    口頚部先端
２ａ  注出開口
２ｂ  外周突条
３    環状帯
３ａ  指掛け部
４    連結片
５    連結部
６    ヒンジ
７    蓋体
７ａ  環状突部
８    第一の弱化部
９    第二の弱化部
１０  ブリッジ
【図１】
0006016300.tif 000002
【図２】
0006016300.tif 000003
【図３】
0006016300.tif 000004
【図４】
0006016300.tif 000005
【図５】
0006016300.tif 000006
【図６】
0006016300.tif 000007
【図７】
0006016300.tif 000008
【図８】
0006016300.tif 000009
【図９】
0006016300.tif 000010
【図１０】
0006016300.tif 000011